(57)【特許請求の範囲】
【請求項１】
地上に構築された基礎の上に固定される台座と、
背面壁部、左右側壁部、天板部及び正面枠部を一体に有し、正面及び底面が開口していて、正面開口部が扉によって閉じられるようになっており、下端が前記台座にネジ止めにより固定された筐体と、
前記筐体内の背面壁部の手前に、下端を前記筐体とは別に台座に固定された状態で立設された部品取付板とを備え、
前記台座は上下方向に連通する開口を有しており、地下布設された入り側光ケーブルと出側光ケーブルは、いずれも、台座の前記開口および筐体の開口した底面を通して、筐体内に導入され、
前記筐体は、台座へのネジ止めを解除し、かつ前記筐体に取り付けられた部品や光ファイバ心線が存在する場合にはその部品や光ファイバ心線の筐体への取り付けを解除すると、部品取付板及びそれに取り付けられた部品や光ファイバ心線をそのままにして、上方へ引き上げることにより前記筐体だけを取り外せるようになっていることを特徴とする地上設置光キャビネット。
【請求項２】
部品取付板の幅方向の両側には、光ファイバ心線又は光コードを上下方向に案内する複数のガイド部材が取り付けられており、各ガイド部材は部品取付板の幅方向の位置を変更できるようになっていることを特徴とする請求項１記載の地上設置光キャビネット。
【発明の詳細な説明】
【技術分野】
【０００１】
本発明は、地下布設光ケーブルの光ファイバ心線の接続や仕分け配線、切替接続等を地上で行うための地上設置光キャビネットに関するものである。
【背景技術】
【０００２】
市街地や住宅地の景観向上のため電力ケーブル等が地下に布設される地下配線地区では、光ケーブルも地下に布設される。地下に布設された光ケーブルは通常、マンホール内で接続作業や保守点検作業が行われる。しかし光ケーブルの場合、光ファイバ心線の接続や仕分け配線を狭いマンホール内で行うことは困難であり、作業効率もわるい。また光ケーブルの場合、布設後に、光回線加入者の増加や変更に伴う光ファイバ心線の切替接続が比較的頻繁に行われるが、切替接続の度にいちいちマンホールに入ることは作業効率がわるい。
【０００３】
そこで、地下布設光ケーブルについては、地上に光キャビネットを設置し、地下布設された入り側の光ケーブルと出側の光ケーブルを光キャビネット内に導入して、光ファイバ心線の接続、加入者に対応する仕分け配線、切替接続などの作業を地上で行えるようにすることが検討されている。
【０００４】
従来提案されている光キャビネットは、屋内に設置されるものであり、筐体の内壁に各種部品を取り付ける構造が一般的である（特許文献１、２参照）。
【先行技術文献】
【特許文献】
【０００５】
【特許文献１】特開平１０−１２３３３４号公報
【特許文献２】特開２００８−９６６６８号公報
【発明の概要】
【発明が解決しようとする課題】
【０００６】
屋外で地上に設置される光キャビネットは、悪戯等によって損傷を受けやすい。特に筐体は損傷を受けやすい。従来提案されている光キャビネットは筐体の内壁に各種部品を取り付ける構造であるため、これを地上設置光キャビネットに適用すると、筐体が損傷を受けた場合に、筐体だけを取り替えることが困難である。このため損傷の修復に多大な費用と時間がかかるという問題がある。
【０００７】
本発明の目的は、筐体が損傷を受けた場合に、中身をそのままにして筐体だけを交換することができる地上設置光キャビネットを提供することにある。
【課題を解決するための手段】
【０００８】
本発明に係る地上設置光キャビネットは、
地上に構築された基礎の上に固定される台座と、
背面壁部、左右側壁部、天板部及び正面枠部を一体に有し、正面及び底面が開口していて、正面開口部が扉によって閉じられるようになっており、下端が前記台座にネジ止めにより固定された筐体と、
前記筐体内の背面壁部の手前に、下端を前記筐体とは別に台座に固定された状態で立設された部品取付板とを備え、
前記台座は上下方向に連通する開口を有しており、地下布設された入り側光ケーブルと出側光ケーブルは、いずれも、台座の前記開口および筐体の開口した底面を通して、筐体内に導入され、
前記筐体は、台座へのネジ止めを解除し、かつ前記筐体に取り付けられた部品や光ファイバ心線が存在する場合にはその部品や光ファイバ心線の筐体への取り付けを解除すると、部品取付板及びそれに取り付けられた部品や光ファイバ心線をそのままにして、上方へ引き上げることにより前記筐体だけを取り外せるようになっていることを特徴とするものである。
【０００９】
本発明に係る地上設置光キャビネットは、部品取付板の幅方向の両側に、光ファイバ心線又は光コードを上下方向に案内する複数のガイド部材が取り付けられ、各ガイド部材は部品取付板の幅方向の位置を変更できるようになっていることが好ましい。
【発明の効果】
【００１０】
本発明によれば、基礎の上に固定された台座に筐体と部品取付板が別々に固定され、筐体が、台座へのネジ止めを解除することにより、上方へ引き上げて取り外せるようになっているので、筐体が損傷を受けたときには、内部の部品取付板及びそれに取り付けられた部品や光ファイバ心線等をそのままにして、新しい筐体と交換することができる。したがって、筐体が損傷を受けた場合の修復を短時間で安価に行うことができる。
【００１１】
また、部品取付板の両側に取り付けられたガイド部材の、部品取付板の幅方向の位置を変更できるようにしておくと、平常時はガイド部材を部品取付板の外側寄りの位置に取り付けておくことにより、光ファイバ心線や光コードを部品取付板の外側寄りに配線できるので、筐体内の作業スペースを広く確保することができ、各種作業がやりやすくなると共に、筐体を取り外すときは、ガイド部材の取付位置を部品取付板の内側寄りに変更して、配線されている光ファイバ心線や光コードを部品取付板の内側に引き寄せておくことができるので、光ファイバ心線や光コードが、上方へ引き上げられる筐体に接触して損傷するのを防止することができる。
【図面の簡単な説明】
【００１２】
【図１】本発明に係る地上設置光キャビネットの一実施例を示す、（Ａ）は正面図、（Ｂ）は平面図、（Ｃ）は左側面図。
【図２】図１の地上設置光キャビネットを構成する台座の斜視図。
【図３】図１の地上設置光キャビネットを扉を開いた状態で示す、（Ａ）は正面図、（Ｂ）は平面図。
【図４】（Ｃ）、（Ｄ）、（Ｅ）はそれぞれ図３（Ａ）のＣ−Ｃ線、Ｄ−Ｄ線、Ｅ−Ｅ線における断面図。
【図５】図３の状態からガイド部材の位置を内側に変更し、扉を取り外した状態を示す正面図。
【図６】図５の状態から筐体を引き上げて取り外す途中の状態を示す正面図。
【図７】図５の状態から筐体を取り外した後の状態を示す、（Ａ）は正面図、（Ｂ）は右側面図。
【図８】図７の状態に大型の筐体を被せて部品を増設した状態を示す正面図。
【発明を実施するための形態】
【実施例】
【００１３】
図１は本発明の一実施例に係る地上設置光キャビネットの外観を示す。この地上設置光キャビネットは、筐体11と、それを載せる台座13を備えている。筐体11は、背面壁部15、左側壁部17、右側壁部19、天板部21及び正面枠部23を一体に有し、正面及び下面が開口した構造である。筐体11の正面開口部は扉25によって閉じられるようになっている。正面枠部23には防水用のパッキング27が取り付けられている。扉25は正面枠部23の左側にヒンジ29によって開閉可能に取り付けられている。31は扉25の鍵である。
【００１４】
台座13は、図２に示すように、背面壁部33、左側壁部35、右側壁部37及び正面壁部39を有する長方形の枠体であり、その上端には額縁部41が一体に形成され、下端にも同様に額縁部43が一体に形成されている。左右側壁部35、37の上端の額縁部41にはそれぞれ筐体11の下端をネジ止めするためのネジ穴45が形成され、背面壁部33の上端の額縁部41には後述する部品取付板をネジ止めするためのネジ穴47が形成されている。また、背面壁部33及び正面壁部39の下端の額縁部43には、地上に構築された基礎から立ち上がるアンカーボルト（図示せず）を通すボルト穴49が形成されている。台座13は前記アンカーボルトによって基礎の上に固定される。
【００１５】
図３及び図４は、図１に示した地上設置光キャビネットの扉25を開いた状態を示す。筐体11の左右側壁部17、19及び正面枠部23の下端には内向き縁部51が一体に形成されており（図４（Ｅ）参照）、このうち左右側壁部17、19の下端の内向き縁部51は、ネジ53により、台座13の左右側壁部35、37の上端の額縁部41に固定されている。
【００１６】
また、筐体11内の背面壁部15の手前には部品取付板55が立設されている。部品取付板55の下端は手前側（正面側）へ直角に折り曲げられており、この折り曲げ部分55ａが、台座13の背面壁部33の上端の額縁部41にネジ59により固定されている（図４（Ｅ）参照）。また、部品取付板55の左側縁も手前側（正面側）へ直角に折り曲げられており、この折り曲げ部分55ｂは部品取付板55の剛性を高める働きをしている。部品取付板55は、適当箇所でネジ57（図３（Ａ）参照）により筐体11の背面壁部15に取り付けられている。なお、部品取付板55の自立性が高い場合には、ネジ57による筐体11への取付を省略することもできる。
【００１７】
筐体11の下部の片側（左側）には台座13を通して１本（又は２本）の入り側（局側）光ケーブル61が導入され、反対側には第一の出側光ケーブル63及び第二の出側ケーブル65が導入される。第一の出側ケーブル63は例えば加入者へ行くケーブルであり、第二の光ケーブル65は例えば次の地上設置光キャビネットへ行くケーブルである。各光ケーブル61、63、65はそれぞれ外被を剥いで光ファイバ心線67、69、71を露出させてある。
【００１８】
各光ケーブル61、63、65の端部はそれぞれクランプ73、75、77により把持されている。図４（Ｄ）に示すように、入り側光ケーブル61を把持するクランプ73は支持部材79Ａ、79Ｂを介して部品取付板55と筐体11の左側壁部17にネジ止めにより固定されている。同様に第一の出側光ケーブル63を把持するクランプ75は支持部材81Ａ、81Ｂを介して、第二の出側光ケーブル65を把持するクランプ77は支持部材83Ａ、83Ｂを介して、それぞれ部品取付板55と筐体11の右側壁部19にネジ止めにより固定されている。なお、クランプ73、75、77を支持部材79Ａ、81Ａ、83Ａによって部品取付板55にしっかり取り付けることができる場合には、クランプ73、75、77を筐体11へ取り付ける支持部材79Ｂ、81Ｂ、83Ｂは省略することも可能である。
【００１９】
部品取付板55の幅方向中央部には、上から順に、成端モジュール収納トレイ85、光スプリッタモジュール収納トレイ87、心線変換部収納トレイ89及び心線接続部収納トレイ91が取り付けられている。また、部品取付板55の幅方向の両側には、光ファイバ心線又は光コードを上下方向に案内する複数のガイド部材93が取り付けられている。各ガイド部材93は、光ファイバ心線又は光コードを案内するガイド枠95と、部品取付板55に取り付けられる基板部97を一体に形成したものである（図３及び図４（Ｃ）参照）。基板部97には部品取付板幅方向に長い長穴99が形成されている。ガイド部材93はこの長穴99にネジ111を挿通して部品取付板55にネジ止めされる。このため、ガイド部材93は、ネジ111を弛めると、部品取付板55の幅方向に移動可能である。
【００２０】
入り側光ケーブル61の光ファイバ心線67の一部は左側のガイド部材93に案内されて立ち上がり、端部をコネクタ成端されて成端モジュール（図示省略）に組み込まれる。成端モジュールは成端モジュール収納トレイ85に収納される。また、入り側光ケーブル61の他の光ファイバ心線67は、第二の出側光ケーブル65の光ファイバ心線71と融着接続され、その心線接続部は心線接続部収納トレイ91に収納される。
【００２１】
成端モジュール収納トレイ85内の成端モジュールには、光スプリッタモジュール収納トレイ87内に収納された光スプリッタの幹側光コード113がコネクタ接続される。光スプリッタの枝側光コード115は光スプリッタモジュール収納トレイ87を出て、心線変換部収納トレイ89に入り、そこで第二の出側光ケーブル63の光ファイバ心線69と融着接続される。幹側光コード113、枝側光コード115及び第二の出側光ケーブル63の光ファイバ心線69は、右側のガイド部材93によって上下方向に案内される。
【００２２】
以上の光ファイバ心線や光コードのコネクタ成端や仕分け配線は一実施例であり、コネクタ成端や仕分け配線は地上設置光キャビネットの仕様に応じて適宜変更される。
【００２３】
この地上設置光キャビネットの特徴は、筐体11が悪戯等により損傷を受けたときに、筐体11の中身をそのままにして、筐体11を台座13から取り外して新しい筐体と交換できるようにしたことである。
【００２４】
ガイド部材93は平常時は図３（Ａ）に示すように部品取付板55の幅方向外側寄りの位置に取り付けられている。この方が、光ファイバ心線や光コードを部品取付板55の外側寄りに配線できるので、筐体11内の作業スペースを広く確保することができ、各種作業がやりやすい。
【００２５】
筐体11を台座13から取り外すときは、まずガイド部材93を部品取付板55に取り付けているネジ111を弛めて各ガイド部材93の取付位置を図５に示すように部品取付板55の内側寄りに変更し、光ファイバ心線や光コードを部品取付板55の内側に引き寄せる。これは、筐体11を取り外すときに、光ファイバ心線や光コードが筐体11に接触して損傷するのを避けるためである。
【００２６】
次に部品取付板55を筐体11の背面壁部15に取り付けているネジ57を取り外す。次に入り側光ケーブル61を把持するクランプ73の支持部材79Ｂを筐体11の左側壁部17に取り付けているネジ（図示省略）を取り外すと共に、第一及び第二の出側光ケーブル63、65を把持するクランプ75、77の支持部材81Ｂ、83Ｂを筐体11の右側壁部19に取り付けているネジ（図示省略）を取り外す。さらに扉25と筐体11のヒンジ29による連結を解除して、扉25を取り外す。最後に筐体11の下端を台座13に取り付けているネジ53（図４（Ｅ）参照）を取り外す。
【００２７】
その後、図６に示すように損傷を受けた筐体11を上方へ吊り上げれば、図７に示すように、筐体11を取り外すことができる。筐体11を取り外した後は、上記とは逆の作業手順で、新しい筐体を被せて、各部のネジ止めをしたり、扉を取り付けたりすればよい。
また、この地上設置光キャビネットは、筐体だけを取り外せるので、筐体を取り外した後に、図８に示すように、それまでより大型の（高さの高い）筐体11を被せて台座11に取り付けることも可能である。このようにすると、筐体11の上部に空間ができるので、部品取付板55の上に増設用部品取付板117を取り付け、そこにもう一つの成端モジュール収納トレイ119を取り付けて、成端モジュールを増設することができる。この手法は、例えば入り側光ケーブル61及び第一の出側光ケーブル63に光ファイバ心線の予備がある場合等に回線数を増加させるのに有効である。
【符号の説明】
【００２８】
11：台座
13：筐体
15：背面壁部
17：左側壁部
19：右側壁部
21：天板部
23：正面枠部
25：扉
27：パッキング
29：ヒンジ
33：背面壁部
35：左側壁部
37：右側壁部
39：正面壁部
41：上端の額縁部
43：下端の額縁部
45、47、49：ネジ穴
51：内向き縁部
53：ネジ
55：部品取付板
57、59：ネジ
61：入り側光ケーブル
63：第一の出側光ケーブル
65：第二の出側光ケーブル
67、69、71：光ファイバ心線
73、75、77：クランプ
85：成端モジュール収納トレイ
87：光スプリッタ収納トレイ
89：心線変換部収納トレイ
91：心線接続部収納トレイ
93：ガイド部材
113：光スプリッタの幹側光コード
115：光スプリッタの枝側光コード
【図１】
0005606472.tif 000002
【図２】
0005606472.tif 000003
【図３】
0005606472.tif 000004
【図４】
0005606472.tif 000005
【図５】
0005606472.tif 000006
【図６】
0005606472.tif 000007
【図７】
0005606472.tif 000008
【図８】
0005606472.tif 000009